(57)【特許請求の範囲】
【請求項１】
複数の空気調和機と、熱源機とを有し、複数の空気調和機の各々は温水循環用ラインを介して熱源機に接続されており、空気調和機は各々に設けられた操作手段により運転操作が行われると共に、熱源機側の制御機構によっても運転操作可能に構成されており、熱源機は制御手段を備え、該制御手段は、空気調和機に設けられた操作手段に対して行われた操作により、当該操作が行われた空気調和機の設置位置に関する情報を制御機構で把握するための処理を実行する様に構成されていることを特徴とする空気調和システム。
【請求項２】
前記制御手段は、空気調和機に設けられた操作手段に対して、空気調和機と制御機構とを関連つけるために行う操作が行われ、当該操作が行われた順番に従って個々の空気調和機が入力された際に、個々の空気調和機と制御機構とを関連付ける様に構成される請求項１の空気調和システム。
【請求項３】
複数の空気調和機の各々は温水循環用ライン及び熱源機側のコネクタを介して熱源機に接続されており、空気調和機と制御機構とを関連つけるための操作が行われた際に、当該空気調和機と接続されている熱源機側のコネクタが空気調和機に設けられた操作手段と熱源機側の制御機構で表示される様に構成されており、前記制御手段は、熱源機側の制御機構でコネクタが表示され且つコネクタと対応する温水端末が入力された際に、個々の空気調和機と制御機構とが関連付けられたと判定する様に構成される請求項１の空気調和システム。
【請求項４】
複数の電気器具と、集中制御用機器とを有し、複数の電気器具の各々は運転操作信号のみが伝達可能な端子及び信号伝達ラインを介して集中制御用機器に接続されており、電気器具は各々に設けられた操作手段により運転操作が行われると共に、集中制御用機器側からも運転操作可能に構成されており、電気器具に設けられた操作手段に対して行われた操作により当該操作が行われた電気器具と集中制御用機器とを関連付けるための処理を実行する様に構成されている制御手段を備えていることを特徴とする電気器具制御システム。
【請求項５】
前記制御手段は、電気器具に設けられた操作手段に対して、電気器具と集中制御用機器とを関連つけるために行う操作が行われ、当該操作が行われた順番に従って集中制御用機器で個々の電気器具の設置位置に関する情報が入力された際に、個々の電気器具と集中制御用機器とが関連付けられたと判断する様に構成される請求項４の電気器具制御システム。
【請求項６】
前記制御手段は、電気器具を集中制御用機器と関連つける操作が行われた際に、その旨を電気器具側で表示するための制御信号を発生する返信信号発生手段を有している請求項５の電気器具制御システム。
【請求項７】
請求項２の空気調和システムの使用方法において、空気調和機と制御機構とを関連付けるための処理を実行するために、空気調和機に設けられた操作手段に対して、空気調和機と制御機構とを関連付けるための操作を行う工程と、当該操作が行われた順番を記憶する工程と、記憶された順番に従って制御機構で空気調和機の設置位置に関する情報を入力する工程、とを備えていることを特徴とする空気調和システムの使用方法。
【請求項８】
請求項３の空気調和システムの使用方法において、空気調和機に設けられた操作手段により空気調和機と制御機構とを関連つける操作を行う工程と、前記操作が為された際に当該空気調和機と接続されている熱源機側のコネクタを当該操作手段で表示する工程と、表示されたコネクタを記録する工程と、制御機構でコネクタを表示し且つ表示されたコネクタと対応する温水端末を入力する工程を有していることを特徴とする空気調和システムの使用方法。
【請求項９】
請求項５の電気器具制御システムの使用方法において、電気器具と集中制御用機器とを関連付けるための処理を実行するために、電気器具に設けられた操作手段に対して、電気器具と集中制御用機器とを関連付けるための操作を行う工程と、当該操作が行われた順番を記憶する工程と、集中制御用機器で前記記憶された順番に従って電気器具の設置位置に関する情報を入力する工程、とを備えていることを特徴とする電気器具制御システムの使用方法。
【請求項１０】
電気器具と集中制御用機器とを関連付けるための操作を行う前記工程が行われた後、集中制御用機器から電気器具へ制御信号が発信されて、電気器具を集中制御用機器と関連つける操作が行われた旨を電気器具側で表示する工程、を有している請求項９の電気器具制御システムの使用方法。
【発明の詳細な説明】
【技術分野】
【０００１】
本発明は、集中制御側の機器と端末側の機器とを有し、端末側の機器自体の操作手段に加えて、集中制御側の機器により端末側の機器を操作できる様に構成された空気調和システムに関する。より詳細には、本発明は、複数の空気調和機（いわゆる「温水端末」。例えば、床暖房システム：端末側）が、空気調和機の操作手段のみならず、集中制御側（熱源機側）でも運転制御できる様に構築されているシステムにおいて、端末側の機器の設置位置に関するデータを集中制御側において表示し、以って、集中制御側からの制御の利便性を向上することが出来る様に、端末側と集中制御側とを関連付ける技術に関する。
【背景技術】
【０００２】
例えば、家庭用の温水暖房システムでは、温水端末と呼ばれる複数の空気調和機（例えば、床暖房システム、浴室暖房乾燥機や室内ラジエータ等：端末側）が、熱源機（集中制御側）から温水を供給されて、必要な暖房を行っている。
即ち、単一の熱源機に複数の温水端末を接続して、各温水端末に対して必要に応じて温水を供給して、暖房を行っている。
【０００３】
熱源機では、例えば都市ガスを燃焼して水を昇温し、或いは、燃料電池で発電を行う際に生じる排熱と水とで熱交換して、必要な熱量或いは温水を得ている。
そして、温水端末に必要な熱量を運ぶ媒体が水（温水）であり、該温水は樹脂製の管（ライン）で熱源機と温水端末とを循環する様に構成されている。
ところで、熱源機におけるヘッダー或いはコネクタが、温水流過用の樹脂製の管（ライン）と接続しているが、熱源機側では、どのヘッダー（コネクタ）がどの温水端末に接続されているのかを把握していない。
【０００４】
ここで、各温水端末毎にコントローラ（操作手段：リモコン）を設け、更に統一的な集中コントローラを設けようとする場合がある。各温水端末が設置された箇所（部屋）に行かなくても、統一的な集中コントローラで暖房のＯＮ−ＯＦＦを行うことが出来ると、空調施設の利便性が更に向上するからである。
ところが、係る場合に、各温水端末の設置位置（例えば温水端末が設置された部屋の名称）を、統一的な集中コントローラで表示することは、従来技術では困難であった。
【０００５】
より詳細に述べれば、従来の家庭用の温水暖房システムでは、温水端末が設置された領域（家屋内であれば部屋）に行かないと、当該温水端末による暖房が行われているか否か（ＯＮ―ＯＦＦ）が分からない。
そのような場合、その部屋に行かなくても、ＯＮ―ＯＦＦが確認出来て、必要に応じて、その部屋以外からＯＮ―ＯＦＦできる様にすれば、家庭用の温水暖房システムにおける利便性が向上することは明らかである。
例えば、リビングルームに統一的な集中コントローラを設置し、リビングルームで家族が団欒している間に、統一的な集中コントローラによって、例えば「子供部屋の床暖房」の様な特定の温水端末を始動、停止させておくことが出来れば、大変に便利である。
【０００６】
そうした要請に応えるためには、統一的な集中コントローラにおいて、所定の温水端末を特定して、運転制御できることが必要である。そして、その前提として、統一的な集中コントローラで、運転制御するべき温水端末が特定可能な程度に表示されなければならない。
しかし、集中コントローラ側で特定の温水端末を特定して、その温水端末を表示するためには、集中コントローラ側において、温水端末の設置位置に関する情報を把握していなければならない。具体的には、集中コントローラ側で熱源機に設けられたヘッダー（コネクタ）の各々について、どの部屋の温水端末に接続しているかを把握しなければならない。
現状の熱源機を設けた家庭用の空気調和システムでは、その様な把握（温水端末の設置位置に関する情報の把握）は出来ない。
【０００７】
統一的なコントロールを行う集中制御盤（リモートコントロールタイプの集中制御盤）が市販されてはいるが、係る市販の集中制御盤では、制御するべき温水端末について、「温水端末１」、「温水端末２」という形式でしか表示出来ず、制御するべき温水端末が何処に設置されているのかを表示してはいない。従って、ユーザーが、例えば、「温水端末１」は「寝室の床暖房」であり、「温水端末２」は「子供部屋の床暖房」であり、「温水端末３」は「リビングの床暖房」である、ということを把握していないと、集中制御盤から各温水端末を制御することが出来ないのである。
【０００８】
これに対して、例えば、「温水端末１」、「温水端末２」、「温水端末３」という表示に代えて、集中制御盤において、例えば「寝室の床暖房」、「子供部屋の床暖房」、「リビングの床暖房」という様な温水端末の設置位置を示す表示が為されれば（「関連付け」がされていれば）、利便性が極めて向上する。
しかしながら従来技術では、その様な「関連付け」を容易に行い得るものは提案されていない。
【０００９】
温水端末の設置位置の名称は、最終的には居住者であるユーザーが決定するものであるため、事前に集中制御盤側に温水端末の設置位置の名称を記憶させておくことは不可能である。
そのため、従来は、集中制御盤に温水端末の設置位置の名称を記憶させること、或いは「関連付ける」ことを行うためには、各温水端末が設置されている空間或いは領域についてユーザーの方で記憶するか、或いは、入力機器（携帯機器やキーボード等）の方に、各温水端末とそれが設置されている空間との関係を設定しておく必要があった。
【００１０】
しかし、ユーザーがそのように記憶することは、特に温水端末の数が多い場合には大変に困難である。一方、入力機器（携帯機器やキーボード等）において、各温水端末とそれが設置されている空間との関係を設定しておくことは、非常に煩雑であり、ユーザー側に多大な労力を強いることとなる。或いは、施工者の方で、温水端末と、その具体的な呼び方（例：寝室の床暖房）とのリストを作成しなければならず、施工者の負担が膨大なものとなってしまう。
【００１１】
すなわち、従来技術に係る空気調和システムでは、温水端末が設置された箇所（家屋であれば部屋）に行って温水端末を稼動させ、再び集中制御側に戻って、集中制御盤ではどの様に表示されるかを確認して、記録（メモ等）する、という一連の作業を「関連付け」をするべき温水端末の数だけ繰り返し、その後、集中制御盤側で記録（メモ）を参照しながら必要な入力作業を行う、という煩雑な処理を実行しなければ、上述した利便性を獲得することは出来ない。係る作業或いは処理は大変に煩雑であり、且つ、ユーザーに多大な労力を要求してしまう。
【００１２】
仮に、上述した市販の集中制御盤の表示（温水端末１、温水端末２という表示が一般的）に、温水端末のコード（メーカー名、商品名等）を表示したとしても、温水式の床暖房はメーカーが少なく、同一の家には同一の商品を採用することが多いので、各温水端末毎に表示されるコードが全部同じになってしまうことが予想される。その場合には、集中制御盤側で各温水端末を特定出来たことにはならない。
【００１３】
同様の問題は、住居における電気器具をネットワークシステム（例えば、ローカルエリアネットワーク）で接続する、いわゆるホームオートメーションにおいても存在する。
【００１４】
その他の従来技術として、熱源機側のコントローラで制御可能な床暖房システムであって、暖房端末側の設置状況に応じて最適化する温水暖房システムが提案されている（特許文献１参照）。
しかし、係る温水暖房システムでは、集中制御側で端末側の設置位置に関する情報を表示して、集中制御側から端末の設置位置及び／又は名称を特定する際の煩雑さを解消することは出来ないので、上述した問題を解決することは不可能である。
【特許文献１】特開２００５−６１７８３号公報
【発明の開示】
【発明が解決しようとする課題】
【００１５】
本発明は上述した従来技術の問題点に鑑みて提案されたものであり、集中制御側から端末の設置位置及び／又は名称を容易に特定出来る様にせしめ、熱源機の集中制御盤で個々の温水端末を起動、停止できる様にして、温水を利用した空気調和システムの利便性を向上させることを可能とした空気調和システム及びその使用方法の提供を目的としている。
【００１６】
それに加えて本発明は、運転操作信号が伝達される様な端子（例えばＪＥＭＡ端子）によって電気器具をネットワークシステムに接続している電気器具制御システムであって、集中制御側から個々の電気器具の設置位置及び／又は名称を特定（或いは把握）することが出来る電気器具制御システム及びその使用方法の提供を目的としている。
【課題を解決するための手段】
【００１７】
本発明の空気調和システムは、複数の空気調和機（例えば、床暖房システム：端末側２）と、熱源機（集中制御側１）とを有し、複数の空気調和機（例えば、温水端末２）の各々は温水循環用ライン（６）を介して熱源機（１）に接続されており、空気調和機（２）は各々に設けられた操作手段（リモコン２ｃ）により運転操作が行われると共に、熱源機（１）側の制御機構（集中制御盤７）によっても運転操作可能に構成されており、熱源機（１）は制御手段（コントロールユニット１０）を備え、該制御手段（コントロールユニット１０）は、空気調和機（２）に設けられた操作手段（リモコン２ｃ）に対して行われた操作により、当該操作が行われた空気調和機（２）の設置位置に関する情報を制御機構（集中制御盤７）で把握する（表示可能とする：「関連付け」を行う）ための処理を実行する様に構成されている（請求項１）。
【００１８】
本発明の空気調和システムにおいて、前記制御手段（コントロールユニット１０）は、空気調和機（２）に設けられた操作手段（リモコン２ｃ）に対して、空気調和機（温水端末２）と制御機構（集中制御盤７）とを関連つけるために行う操作（予め定められた操作：図示の例ではＯＮ―ＯＦＦを複数回繰り返す）が行われ、当該操作（例えば、ＯＮ―ＯＦＦを複数回繰り返す操作）が行われた順番（操作手段２ｃによって、ＯＮ―ＯＦＦを複数回繰り返す操作を行った順番）に従って個々の空気調和機（２）が入力された（順番に従って、空気調和機２の設置位置及び／又は名称が入力された）際に、個々の空気調和機（２）と制御機構（集中制御盤７）とを関連付ける様に構成されるのが好ましい（請求項２）。
【００１９】
或いは、本発明の空気調和システムにおいて、複数の空気調和機（例えば、温水端末２）の各々は温水循環用ライン（６）及び熱源機（１）側のコネクタ（４）を介して熱源機（１）に接続されており、空気調和機（温水端末２）と制御機構（集中制御盤７）とを関連つけるための操作（予め定められた操作：図示の例ではＯＮ―ＯＦＦを複数回繰り返す）が行われた際に、当該空気調和機（２）と接続されている熱源機（１）側のコネクタ（４）（を識別するための識別番号）が空気調和機（２）に設けられた操作手段（リモコン２ｃ）と熱源機（１）側の制御機構（集中制御盤７）で表示される（接続関係が判定される）様に構成されており、前記制御手段（コントロールユニット１０）は、熱源機（１）側の制御機構（集中制御盤７）でコネクタ（４）（を識別するための識別番号）が表示され且つコネクタと対応する温水端末（の設置位置及び／又は名称）が入力された際に、個々の空気調和機（２）と制御機構（集中制御盤７）とが関連付けられたと判定する様に構成されるのが好ましい（請求項３）。
【００２０】
前記空気調和システム（請求項２の空気調和システム）を使用するに際して、空気調和機（２）と制御機構（集中制御盤７）とを関連付けるための処理を実行するために、空気調和機（２）に設けられた操作手段（リモコン２ｃ）に対して、空気調和機（温水端末２）と制御機構（集中制御盤７）とを関連付けるための操作（予め定められた操作：図示の例ではＯＮ―ＯＦＦを複数回繰り返す）を行う工程（図４のＳ３、図６のＳ１３）と、当該操作（温水端末２とコネクタ４とを関連つけるために行う操作）が行われた順番（当該操作が行われた操作手段２ｃを備えた空気調和機２と、当該操作が行われた順番との関係）を記憶する工程（図４のＳ４、図６のＳ１４）と、記憶された順番に従って制御機構（集中制御盤７）で空気調和機（２）の設置位置に関する情報（空気調和機２の設置位置及び／又は名称等）を入力する工程（図４のＳ６、図６のＳ１６）、とを備えている（請求項７）。
【００２１】
或いは、前記空気調和システム（請求項３の空気調和システム）を使用するに際して、空気調和機（２）に設けられた操作手段（リモコン２ｃ）により空気調和機（温水端末２）と制御機構（集中制御盤７）とを関連つける操作（予め定められた操作：図示の例ではＯＮ―ＯＦＦを複数回繰り返す）を行う工程（図９のＳ２２−１、図１０のＳ３２−１）と、前記操作が為された際に当該空気調和機（２）と接続されている熱源機（１）側のコネクタ（４）（を識別するための識別番号）を当該操作手段（リモコン２ｃ）で表示する（接続関係が判定される）工程（図９のＳ２２−２、図１０のＳ３２−２）と、表示されたコネクタ（４）（を識別するための識別番号）を記録する（例えばメモ等）工程と、制御機構（集中制御盤７）でコネクタ（４）（を識別するための識別番号）を表示し且つ表示されたコネクタ（４）（を識別するための識別番号）と対応する温水端末（の設置位置及び／又は名称）を入力する工程（図９のＳ２６、図１０のＳ３６）、とを有している（請求項８）。
【００２２】
本発明の電気器具制御システムは、複数の電気器具（例えば、電気式の床暖房システムや各部屋の照明）と、集中制御用機器（制御盤７Ａ、７Ｂ）とを有し、複数の電気器具の各々は運転操作信号のみが伝達可能な端子（例えばＪＥＭＡ端子）及び信号伝達ライン（ＣＲ１〜ＣＲ７）を介して集中制御用機器（制御盤７Ａ及びコントロールユニット１０Ａ、１０Ｂ）に接続されており、電気器具は各々に設けられた操作手段（リモコン２ｃ）により運転操作が行われると共に、集中制御用機器側（集中制御盤７Ａ）からも運転操作可能に構成されており、電気器具に設けられた操作手段（リモコン２ｃ）に対して行われた操作により当該操作が行われた電気器具と集中制御用機器（制御盤７Ａ、７Ｂ）とを関連付けるための処理を実行する様に構成されている制御手段（コントロールユニット１０Ａ、１０Ｂ）を備えていることを特徴としている（請求項４）。
本明細書において、「電気器具」なる文言は、いわゆる「家電製品」のみならず、空気調和機（例えば、温水式の床暖房システム：端末側２）をも包含する意味で用いられている。
【００２３】
前記制御手段（コントロールユニット１０Ａ、１０Ｂ）は、電気器具に設けられた操作手段（リモコン２ｃ）に対して、電気器具と集中制御用機器（制御盤７Ａ、７Ｂ）とを関連つけるために行う操作（予め定められた操作：図示の例ではＯＮ―ＯＦＦを複数回繰り返す）が行われ、当該操作（例えば、ＯＮ―ＯＦＦを複数回繰り返す操作）が行われた順番（操作手段２ｃによって、ＯＮ―ＯＦＦを複数回繰り返す操作を行った順番）に従って集中制御用機器（制御盤７Ａ、７Ｂ）で個々の電気器具の設置位置に関する情報（電気器具の設置位置及び／又は名称等）が入力された（順番に従って、電気器具の設置位置及び／又は名称が入力された）際に、個々の電気器具と集中制御用機器（制御盤７Ａ、７Ｂ）とが関連付けられたと判断する様に構成されるのが好ましい（請求項５）。
【００２４】
係る電気器具制御システム（請求項５の電気器具制御システム）において、前記制御手段（コントロールユニット１０Ａ、１０Ｂ）は、電気器具を集中制御用機器（制御盤７Ａ、７Ｂ）と関連つける操作（予め定められた操作：図示の例ではＯＮ―ＯＦＦを複数回繰り返す）が行われた際に、その旨を電気器具側で表示する（例えば、電気器具側で、ＯＮ−ＯＦＦを繰り返す等）ための制御信号を発生する返信信号発生手段（返信信号発生ブロック１５Ｂ）を有しているのが好ましい（請求項６）。
【００２５】
前記電気器具制御システム（請求項５の電気器具制御システム）を使用するに際して、電気器具と集中制御用機器（集中制御盤７Ａ、７Ｂ）とを関連付けるための処理を実行するために、電気器具に設けられた操作手段（リモコン２ｃ）に対して、電気器具（例えば、電気式の床暖房システムや各部屋の照明）と集中制御用機器（集中制御盤７Ａ、７Ｂ）とを関連付けるための操作（予め定められた操作：図示の例ではＯＮ―ＯＦＦを複数回繰り返す）を行う工程（図１５のＳ３、図１６のＳ１３）と、当該操作（ＯＮ―ＯＦＦを複数回繰り返す操作）が行われた順番（当該操作が行われた電気器具と、当該操作が行われた順番との関係）を記憶する工程（図１５のＳ４、図１６のＳ１４）と、集中制御用機器（集中制御盤７Ａ、７Ｂ）で前記記憶された順番に従って電気器具の設置位置に関する情報（電気器具の設置位置及び／又は名称：例えば「子供部屋１の照明用リモコン」、「リビングの床暖房用リモコン」、「和室の照明用リモコン」）を入力する工程（図１５のＳ６、図１６のＳ１６）、とを備えている（請求項９）。
【００２６】
係る使用方法（請求項９の使用方法）の実施に際して、電気器具（例えば、電気式の床暖房システムや各部屋の照明）と集中制御用機器（集中制御盤７Ａ、７Ｂ）とを関連付けるための操作（予め定められた操作：図示の例ではＯＮ―ＯＦＦを複数回繰り返す）を行う前記工程（図１５のＳ３、図１６のＳ１３）が行われた後、集中制御用機器（集中制御盤７Ａ、７Ｂ）（の返信信号発生ブロック１５Ｂ）から電気器具へ制御信号が発信されて、電気器具を集中制御用機器（制御盤７Ａ、７Ｂ）と関連つける操作（予め定められた操作：図示の例ではＯＮ―ＯＦＦを複数回繰り返す）が行われた旨を電気器具側で表示する（例えば、電気器具側で、ＯＮ−ＯＦＦを繰り返す等）工程（ステップＳ４１：図１９、図２０参照）、を有しているのが好ましい（請求項１０）。
【発明の効果】
【００２７】
上述する構成を具備する本発明によれば、ユーザーは、空気調和機（例えば、温水端末２）とコネクタ（４）とを関連つけるために行う操作（予め定められた操作：図示の例ではＯＮ―ＯＦＦを複数回繰り返す）を行った順番についてのみ記録すれば、（請求項２、４）、或いは、各空気調和機（２）の設置箇所と対応するコネクタ（の識別番号）についてのみ記憶すれば（請求項３、５）、個々の空気調和機（２）と集中制御用機器（集中制御盤７）とを関連付けることが出来る。
【００２８】
その結果、例えば、集中制御用機器（集中制御盤７）を用いて端末側の機器（空気調和機２）を運転制御するに際して、当該集中制御用機器（集中制御盤７）で、個々の端末側の機器が設置された位置（例えば、リビングルーム、浴室、子供部屋）及び／又は名称（例えば、リビングルームの床暖房、浴室暖房、子供部屋の床暖房）等を表示することが可能となる。
そのため、集中制御用機器（集中制御盤７）側で個々の空気調和機（２）を容易に特定することが出来て、利便性が格段に向上する。
そして、当該集中制御側（集中制御盤７）で個々の端末側の機器が設置された位置（例えば、リビングルーム、浴室、子供部屋）及び／又は名称（例えば、リビングルームの床暖房、浴室暖房、子供部屋の床暖房）等を表示するために、特に多大な労力を費やす必要は無い。
【００２９】
また、本発明によれば、電気器具制御システムについて、電気器具と集中制御側（集中制御盤７Ａ、７Ｂ）集中制御機器側の端子とを関連付けることが可能なので、いわゆる「ホームオートメーション」においても、集中制御側から個々の電気器具を特定（或いは把握）することが出来て、電気器具制御システムの利便性が向上する。
【発明を実施するための最良の形態】
【００３０】
以下、添付図面を参照して、本発明の実施形態について説明する。
先ず、図１〜図６を参照して第１実施形態を説明する。
図１において、全体を符号１００で示す空気調和システムは、熱源機１と、図示の例では、３台の空気調和機である温水端末２を備えている。
ここで、図示の実施形態では熱源機１は１台のみ示されているが、複数台の熱源機１を具備していても良い。
【００３１】
熱源機１は燃焼器３１と貯湯槽３２からなる温水発生装置３と、制御手段であるコントロールユニット１０とを備えている。
貯湯槽３２からは熱源機１側の温水配管５が敷設され、その温水配管５は途中で三つに分岐し、分岐した温水配管５の端末にはコネクタ４が設けられている。
【００３２】
そして、各コネクタ４から温水配管６を介して、対応する各温水端末２（図示の例では３個）に温水が供給される。図示の例では、温水端末２として、リビングルームの床暖房（図１では「リビングルーム」とのみ記載）、浴室における温水暖房器具（図１では「浴室暖房」とのみ記載）、子供部屋の床暖房（図１では「子供部屋」とのみ記載）の３つが図示されている。
ここで、温水端末の個数は、通常は３つ以上の多数個であることが予想されるが、図示の簡略化のために、図１では３つのみ表示している。
【００３３】
前記温水端末２には、各温水端末２毎に、操作手段であるリモートコントローラ（以下、「リモコン」と記載する）２ｃが設けられ、３台の温水端末２におけるリモコン２ｃは、ラインＬ１により、熱源機１のコントロールユニット１０に接続されている。
また、前記３つのコネクタ４もラインＬ２で熱源機１のコントロールユニット１０に接続されている。
【００３４】
熱源機１には集中制御盤７が設置され、集中制御盤７は、表示部７１と入力部７２と音声発生部７３とから成る操作手段であって、ラインＬ３を介してコントロールユニット１０と接続されている。
集中制御盤７の表示部７１は、例えば、図１において符号７５で示す様な表示が為される。なお、後述する「集中制御盤と温水端末との関連付け」が完了した後でなければ、符号７５で示す様な内容の表示はすることが出来ない。「リビングルームの床暖房」、「浴室暖房」、「子供部屋の床暖房」という様な表示は、温水端末２が設置された後、ユーザーが各温水端末２の設置場所の名称その他に基いて決定するものであり、ユーザーが決定する以前の段階では（符号７５で示す様な内容は）表示し得ないからである。
【００３５】
図２はコントロールユニット１０の構成を示したものである。
図２において、コントロールユニット１０は、リモコン識別ブロック１１と、入力判定ブロック１２と、分類ブロック１３と、表示ブロック１４と、リモコン側の表示信号発生ブロック１５と、記憶ブロック（データベース）１６とから構成されている。
【００３６】
リモコン識別ブロック１１は、どの温水端末２のリモコン２ｃから信号を受信したのかを識別する。
入力判定ブロック１２は、入力された信号が、温水端末２の設置位置を集中制御盤７側で把握するための一連の手順（詳細は後述）においてリモコン２ｃから発信された信号であるのか否かを判定する。
【００３７】
分類ブロック１３では、入力された信号を、発信されたリモコン２ｃを有する温水端末２と、受信した順番とに対応付けて、記憶ブロック（データベース）１６に記憶させる。
表示ブロック１４は、入力信号が受信された順番及び温水端末２に関するデータを集中制御盤７の表示部７１に送る。
【００３８】
次に、図３を参照して、集中制御盤７側と各温水端末２（或いは、各々のリモコン）とを関連付ける操作について説明する。尚、図中、符号Ｗ０、Ｗ１〜Ｗ６は操作手順を示す通し番号である。
【００３９】
図示しないユーザーは最初に、集中制御盤７の表示部７１には、温水配管５、６が適正に接続されている旨が表示されている（Ｗ０：図３の操作手順Ｗ０においては、表示部７１に「関連付け」と表示）旨を確認する。（なお、係る確認を最初に行わない場合も存在し得る。）
次に、第１の温水端末２（図示の例ではリビングルームの床暖房）の設置箇所であるリビングルームまで行き、そのリモコン（制御手段）２ｃを操作して、第１の温水端末２の設置位置に関する情報を集中制御盤７で把握するのに必要な操作（予め定められた操作：図示の例では、温水端末のＯＮボタンと温水端末のＯＦＦボタンとを連続して押す操作。明細書及び／又は図面では、「ＯＮ―ＯＦＦ」あるいは「ＯＮ−ＯＦＦを複数回繰り返す」と表記）を行う（Ｗ１）。
【００４０】
次に、第２の温水端末２（図示の例では浴室暖房）の設置箇所である浴室に移り、浴室暖房（第２の温水端末２）のリモコン（制御手段）２ｃを操作して、第２の温水端末２の設置位置に関する情報を集中制御盤７で把握するのに必要な操作（ＯＮ―ＯＦＦ）を行う（Ｗ２）。
【００４１】
更に、第３の温水端末２（図示の例では子供部屋の床暖房）の設置箇所である子供部屋に移り、そのリモコン（制御手段）２ｃを操作して、第３の温水端末２の設置位置に関する情報を集中制御盤７で把握するのに必要な操作（ＯＮ―ＯＦＦ）を行う（Ｗ３）。
【００４２】
ここで、前記「必要な操作（ＯＮ―ＯＦＦ）」を行ったユーザーは、第１番目に操作した温水端末２が何で（例えば、リビングルームの床暖房）、第２番目に操作した温水端末が何で（例えば、浴室暖房）、第３番目に操作した温水端末が何なのか（例えば、子供部屋の床暖房）、のみを記録する。係る「記録」は、電子的な手段を用いて実行しても良いし、いわゆる「メモ」等を用いた手作業で行っても良い。特に限定条件が存するものではない。
【００４３】
最後に集中制御盤７において、上述した操作（Ｗ１〜Ｗ３の工程）を行った順番（温水端末２の設置位置に関する情報を集中制御盤７で把握するのに必要な操作を実行した順番：ユーザーにより記録された順番）に従って、図３の符号７３で示す様に、「温水端末の設置位置を入力する要求」が示される（Ｗ５、Ｗ６の表示部参照）。それに対しては、例えばメモの内容に沿って、温水端末２の設置位置を入力する。
上記の例では、「１つ目の部屋」に対しては「リビングルームの床暖房」と入力し、「２つ目の部屋」に対しては「浴室暖房」と入力し、「３つ目の部屋」に対しては「子供部屋の床暖房」と入力する。すなわち、上述の「記録された」順番に従って、表示部７１に示される内容７３に応答して、温水端末の設置位置に関する情報（「リビングルームの床暖房」、「浴室暖房」、「子供部屋の床暖房」）を入力するのである（Ｗ５、Ｗ６の工程）。
【００４４】
図４は、図３を参照して説明した操作手順を説明したフローチャートである。
ここで、図３の符号Ｗ５、Ｗ６で示す操作手順において、集中制御盤７の表示部７１には、単一の温水端末についてのみ、「温水端末の名称を入力する要求」を表示している。すなわち、集中制御盤７の表示部７１には一つの温水端末２のみが表示しか表示されていない。
図４では、図３で示す様な操作の場合、すなわち集中制御盤７の表示部７１に一つの温水端末に関する情報しか表示されない場合、における操作手順を示している。
以下、図４に基づいて、集中制御盤７の表示部７１に単一の温水端末に関する情報のみが表示される場合について、操作手順を説明する。
【００４５】
先ずステップＳ１で、コントロールユニット１０は、集中制御盤７側と温水端末２との関連付けが必要か否かを判断して、集中制御盤７側と温水端末２との関連付けが不要であれば（ステップＳ１がＮＯ）、それ以降は操作しない。
ここで「関連付け」なる文言は、温水端末２の設置位置に関する情報を集中制御盤７で把握可能な状態となることを意味している。換言すれば、集中制御盤７の表示部７１において、温水端末２の設置位置を特定する名称（例えば、「リビングルームの床暖房」、「浴室暖房」、「子供部屋の床暖房」等）が表示可能となることが、「関連付け」と表現されている。
【００４６】
温水端末２の設置位置に関する情報を集中制御盤７で把握可能にする必要があれば（「関連付け」が必要：ステップＳ１がＹＥＳ）、ステップＳ２において、集中制御盤７で設置位置を把握するべき全ての温水端末において、所定の操作（リモコン２ｃでＯＮ−ＯＦＦを複数回繰り返す操作：図３参照）が終了したか否かを判断する。（なお、ステップＳ２において、全ての温水端末について判断しない場合もあり得る。）
集中制御盤７で設置位置を把握するべき全ての温水端末で所定の操作が終了すれば（ステップＳ２がＹＥＳ：図３のＷ５直前の段階）、ステップＳ５へ進む。一方、集中制御盤７で設置位置を把握するべき温水端末であって、所定の操作が終わっていない温水端末が存在するのであれば（ステップＳ２がＮＯ）、ステップＳ３に進む。
【００４７】
ステップＳ３では、コントロールユニット１０は所定の操作（リモコン２ｃによって、連続してＯＮ−ＯＦＦ操作を行う）がされていない温水端末２において、所定の操作を実行したか否かを判断する。
所定の操作を実行していない（ステップＳ３がＮＯ）温水端末２においては、所定の処理が実行されるまで、ステップＳ３がＮＯのループを繰り返す。
当該温水端末２において所定の処理が実行されれば（ステップＳ３がＹＥＳ）、所定の操作がされた温水端末をコントロールユニット１０の記憶部１６で記憶した後、ステップＳ２に戻り、ステップＳ２以降を繰り返す。
図４のステップＳ２〜ステップＳ４のループ（ステップＳ２がＮＯのループ）は、図３の操作手順Ｗ１〜Ｗ３・・・に相当するものであり、温水端末２或いはそのリモコン２ｃ側で行われる操作である。
【００４８】
図４のステップＳ５以降（図３の操作手順Ｗ５、Ｗ６に相当）では、集中制御盤７において、温水端末２の設置位置を把握するため処理が行われる。すなわち、図４のステップＳ２〜Ｓ４の処理が温水端末２側で行われるのに対して、図４のステップＳ５以降の処理は集中制御盤７側で行われる。
【００４９】
ステップＳ５において、集中制御盤７側で温水端末２の設置位置を特定する名称（例えば、「リビングルームの床暖房」、「浴室暖房」、「子供部屋の床暖房」等）が表示可能となった温水端末２は、「関連付け」というグループに分類される。
一方、未だに「関連付け」というグループに分類されていない温水端末２（集中制御盤７側で温水端末２の設置位置を特定する名称、例えば「リビングルームの床暖房」、「浴室暖房」、「子供部屋の床暖房」等が表示可能になっていない温水端末２）の内で、所定の操作（リモコン２ｃによって、連続してＯＮ−ＯＦＦ操作を行うこと）が一番初めに行われた温水端末２を、係る所定の操作を行った順番により、集中制御盤７の表示部７１で表示する。具体的には、例えば、図３の手順Ｗ５、Ｗ６で示す様に、「１つ目の部屋」、「２つ目の部屋」というように表示する。図３で説明した通り、「１つ目の部屋」は「リビングルームの床暖房」なる温水端末を意味しており、「２つ目の部屋」は「浴室暖房」なる温水端末を意味する。
【００５０】
この様にして、未だに「関連付け」というグループに分類されていない温水端末２が、集中制御盤７の表示部７１で表示されたならば、設置位置の名称（図３の例では、「リビングルーム」、「浴室」、「子供部屋」の何れか）を、入力部７２（図１参照）により入力する。この入力が為されることにより、当該温水端末２の設置位置にかかる情報は、集中制御盤７側で把握することが可能となる。
以下、本明細書において、集中制御盤７側で温水端末２が設置されている箇所の名称を入力することを、「設置箇所の記憶」と表現する場合がある。
【００５１】
次のステップＳ６では、コントロールユニット１０は、表示された温水端末２について、集中制御盤７側で当該温水端末２が設置されている箇所の名称を入力したか否か（「設置箇所の記憶」が為されたか否か）を判断する。
表示された温水端末２について、集中制御盤７側で当該温水端末２の設置箇所の名称を入力していなければ（「設置箇所の記憶」が為されていなければ）（ステップＳ６がＮＯ）、ステップＳ５に戻りステップ５以降を繰り返す。
一方、表示された温水端末２について、集中制御盤７側で当該温水端末２の設置箇所の名称を入力されたのであれば（「設置箇所の記憶」が為されているならば）（ステップＳ６がＹＥＳ）、ステップＳ７に進む。
【００５２】
ステップＳ７では、集中制御盤７側で設置箇所の名称が入力された（「設置箇所の記憶」が行われた）温水端末２を、上述した「関連付け」なるグループに分類する。そして、新たに「関連付け」に分類された温水端末２を、集中制御盤７の表示部７１に表示する（ステップＳ８）。
図示はされていないが、ステップＳ８を省略することも可能である。
【００５３】
次のステップＳ９でコントロールユニット１０は、温水端末５が「関連付け」に分類されたか否か、すなわち、全ての温水端末２について、集中制御盤７側で設置箇所の名称が入力され、集中制御盤７側で温水端末２の設置位置を特定する名称（例えば、「リビングルームの床暖房」、「浴室暖房」、「子供部屋の床暖房」等）が表示可能となったか否かを判断する。
【００５４】
集中制御盤７側で全ての温水端末２の設置箇所が入力され、全ての温水端末２について、設置位置を特定する名称（例えば、「リビングルームの床暖房」、「浴室暖房」、「子供部屋の床暖房」等）が集中制御盤７側で表示可能となったならば（全ての温水端末２が「関連付け」に分類された状態：ステップＳ９がＹＥＳ）、制御を終了する。
一方、集中制御盤７側で設置位置を特定する名称（例えば、「リビングルームの床暖房」、「浴室暖房」、「子供部屋の床暖房」等）が表示出来ない温水端末２が存在するのであれば（全ての温水端末２が「関連付け」に分類されていない場合：ステップＳ９がＮＯ）、ステップＳ５まで戻り、ステップＳ５以降を繰り返す。
【００５５】
図４の制御例は、集中制御盤７の表示部７１に一つの温水端末２のみが表示される場合の手順を示している。
これに対して、図５で示す様に、集中制御盤７の表示部７１において、符号７７で示す様な表示内容、すなわち、複数の温水端末２について「温水端末の設置位置の名称を入力する要求」を表示する様に構成することも可能である。換言すれば、集中制御盤７の表示部７１に、一つの温水端末２のみならず、複数の温水端末２に関する情報が表示される様に構成することも可能である。
【００５６】
符号７７で示す様な表示内容において、「１つ目」、「２つ目」、「３つ目」なる文言は、リモコン２ｃで所定の操作（リモコン２ｃによって、連続してＯＮ−ＯＦＦ操作を行う処理）が行われた順番を示している。図３の例であれば、「１つ目」に相当するのは「リビングルームの床暖房」であり、「２つ目」に相当するのが「浴室暖房」、「３つ目」に相当するのが「子供部屋の床暖房」である。
【００５７】
表示部７１に複数の温水端末２に関する情報（設置位置の入力の要求）が表示される場合には、図４とは若干異なる操作手順となる。
図６のフローチャートは、その様な操作手順、すなわち、表示部７１に複数の温水端末２に関する情報（設置位置の入力の要求）が表示される場合における操作手順を示している。
換言すれば、図６は、第１実施形態の変形例に係る操作手順を示すフローチャートとなっている。
【００５８】
図６を参照して、第１実施形態の変形例（制御例）を説明する。
ステップＳ１１〜ステップＳ１３の操作手順は、図４のステップＳ１〜ステップＳ３と同様であるので説明を省略する。
【００５９】
ステップＳ１５では、集中制御盤７側で設置位置を特定する名称（例えば、「リビングルームの床暖房」、「浴室暖房」、「子供部屋の床暖房」等）が表示可能になっていない温水端末、すなわち、「関連付け」されていない温水端末２が、集中制御盤７の表示部７１で表示される。
【００６０】
図５の符号７７で示す様に、表示部７１における表示は、集中制御盤７側で設置位置を特定する名称（例えば、「リビングルームの床暖房」、「浴室暖房」、「子供部屋の床暖房」等）が表示可能になっていない温水端末２（「関連付け」されていない温水端末２）について、当該温水端末２の設置位置（当該温水端末が設置された部屋の名前：図示の例では、「リビング」、「浴室」、「子供部屋」等）を入力することを要求する内容となっている。
コントロールユニット１０は、表示部７１で表示された温水端末２の何れかについて、その温水端末２が設置された部屋の名前（例えば「リビングルーム」、「浴室」、「子供部屋」の何れか）が入力されたか否かを判断する（ステップＳ１６）。
【００６１】
表示された温水端末２の何れについても（当該温水端末２の設置されている箇所の名称が）入力がされていないのであれば（ステップＳ１６がＮＯ）、「関連付け」の作業が中断されていると判断してステップＳ１５に戻る。
何れかの温水端末２について当該温水端末２の設置されている箇所の名称が入力された場合には（ステップＳ１６がＹＥＳ）、当該入力された温水端末２について、設置されている箇所の名称（「リビングルーム」、「浴室」、「子供部屋」の何れか）が記憶される。
【００６２】
そして、設置箇所の名称の入力が完了して、集中制御盤７側で設置位置が表示可能となったならば、当該設置箇所が記憶された温水端末を「関連付け」のグループに分類して（ステップＳ１７）、ステップＳ１８に進む。
ステップＳ１８では「関連付け」に分類された温水端末２を、集中制御盤７の表示部７１に表示する。
【００６３】
そして、ステップＳ１９では、全ての温水端末２が「関連付け」に分類されたか否かを判断する。すなわち、集中制御盤７側で全ての温水端末２の設置箇所が入力され、全ての温水端末２について、設置位置を特定する名称（例えば、「リビングルームの床暖房」、「浴室暖房」、「子供部屋の床暖房」等）が集中制御盤７側で表示可能となったか否かを判定する。
【００６４】
全てのコネクタと温水端末との組み合わせについて「関連付け」に分類されていれば（ステップＳ１９がＹＥＳ）、制御を終了する。
一方、「関連付け」に分類されていない温水端末２が残存する場合（集中制御盤７側で設置箇所が入力されていない温水端末２が存在すれば）（ステップＳ１９がＮＯ）、ステップＳ１５まで戻り、ステップＳ１５以降を繰り返す。
【００６５】
上述したような構成の空気調和システム及びその使用方法に拠れば、ユーザーは、温水端末２の設置位置に関する情報を、集中制御盤７側で表示させるために行う操作（予め定められた操作であって、図示の例ではＯＮ―ＯＦＦで表現される操作）を行った順番（例えば、図５の表示内容７７において、「１つ目」がどの温水端末で、「２つ目」がどの温水端末で、「３つ目」がどの温水端末であるか）についてのみ記録すれば、個々の温水端末２の設置位置（例えば、「リビングルームの床暖房」、「浴室暖房」、「子供部屋の床暖房」等）が、集中制御盤７側で表示可能となる。そして、多大な労力を費やすこと無く、集中制御盤７或いはコントロールユニット１０に対して、個々の温水端末２の設置位置を把握させることが出来る。
【００６６】
その結果、集中制御盤７或いはコントロールユニット１０側で、個々の温水端末２を容易に特定することが出来るので、個々の温水端末２の設置箇所（図示の例では、リビングルーム、浴室、子供部屋）に行って、リモコン２ｃを操作しなくても、集中制御盤７が存在する箇所（例えば、リビングルーム）において、集中制御盤７を操作することにより、温水端末２を操作することが出来るので、利便性が非常に向上する。
【００６７】
次に、図７〜図１０に基づいて、第２実施形態を説明する。
第２実施形態は、後述する様に、各温水端末２について所定の処理（リモコン２ｃでＯＮ−ＯＦＦを複数回繰り返す操作）が行われた際に、所定の処理が為された温水端末２に連通しているコネクタ４１の識別番号（例えば、図８における符号「Ｎｏ．１」、「Ｎｏ．２」、「Ｎｏ．３」）が、当該温水端末２の操作用のリモコン２ｃに表示される点で、図１〜図６の第１実施形態とは大きく相違する。
【００６８】
図７〜図１０の第２実施形態において、制御手段であるコントロールユニットを除く構成に関しては第１実施形態の構成（図１）と同様であるので、第２実施形態の全体構成に関する説明（第１実施形態における図１の説明に対応する説明）は省略する。なお、図８において、コネクタを符号「４１」で示しているのに対応して、以下の第２実施形態における説明においては、符号「４」ではなく、符号「４１」によりコネクタを表現する。
【００６９】
図７はコントロールユニット１０Ａの構成を示したブロック図である。
図７において、コントロールユニット１０Ａは、コネクタ識別ブロック１１と、入力判定ブロック１２と、表示ブロック１４と、リモコン側への表示信号発生手段１５と記憶ブロック（データベース１６）とによって構成されている。
ここで、「リモコン側への表示信号」とは、所定の処理が為された温水端末のリモコン２ｃに対して、当該リモコン２ｃが温水端末の温水配管６（図１）に接続しているコネクタ４１の識別番号（図８において、「Ｎｏ．１」、「Ｎｏ．２」、「Ｎｏ．３」で示す）を表示するのに必要な信号を意味している。
【００７０】
コネクタ識別ブロック１１は、信号を発信したリモコン２ｃの温水端末２に連通しているコネクタ４１を、判定し識別する。
入力判定ブロック１２は、受信内容に基づいて、信号を発信したリモコン２ｃの温水端末２に連通しているコネクタ４１を判定し（以下、何れの温水端末２が何れのコネクタ４１に連通しているのかを示す関係を、「接続関係」と表現する）、信号を発信したリモコン２ｃの温水端末２に連通しているコネクタ４１を記憶ブロック１６に記憶させると共に、温水端末２とコネクタ４１との「接続関係」の有無を記憶ブロック１６の既にあるデータから確認する。
【００７１】
表示ブロック１４は、信号を発信したリモコン２ｃの温水端末２に連通しているコネクタ４１の識別番号（図８において、「Ｎｏ．１」、「Ｎｏ．２」、「Ｎｏ．３」で示す）を、集中制御盤７の表示部７１に表示させる。
それと共に、リモコン側への表示信号発生ブロック１５を介して、温水端末２のリモコン２ｃに対して、対応するコネクタ４１（当該リモコン２ｃの温水端末２に連通しているコネクタ４１）の識別番号（図示の例では「Ｎｏ．１」〜「Ｎｏ．３」）を、リモコンの表示部（図８において、「Ｎｏ．１」〜「Ｎｏ．３」の表示がされている部分）で表示するために必要な信号が送られる。その結果、リモコン側への表示信号発生ブロック１５からの信号を受信したリモコン２ｃは、当該リモコンの温水端末２と連通しているコネクタ４１の識別番号（図示の例では「Ｎｏ．１」〜「Ｎｏ．３」）を表示する。
【００７２】
図８は、第２実施形態において、各温水端末２に連通しているコネクタ４１の識別番号（図示の例では「Ｎｏ．１」〜「Ｎｏ．３」）が、熱源機１の集中制御盤７の表示部７１と、各温水端末２におけるリモコン２ｃの画面、との双方で表示されている状態を表示し、以って、第２実施形態における操作手順を説明するためのものである。
【００７３】
図８の例では、「浴室暖房」のリモコン（図８では「バス暖リモコン」と表示）、「リビングルームの床暖房」（図８では「床暖リモコン」と表示）、「子供部屋の床暖房」（図８では「床暖リモコン」と表示）が示されている。
ここで、各温水端末のリモコン２ｃでは、上記の「温水端末２とコネクタ４１とを関連つけるために行う操作」（予め定められた操作：リモコン２ｃでＯＮ−ＯＦＦを複数回繰り返す操作）を行うと、当該温水端末２に接続しているコネクタ４１の識別番号（Ｎｏ．１〜Ｎｏ．３）が表示される。
【００７４】
また、集中制御盤７の表示部７１には、熱源機１のコネクタ４１（識別番号Ｎｏ．１〜Ｎｏ．３）が、識別番号順に表示される。換言すれば、第１実施形態では、集中制御盤７の表示部７１には、温水端末（図８では省略）側で「所定の操作」（リモコン２ｃでＯＮ−ＯＦＦを複数回繰り返す操作）を行った順番が表示されるが、第２実施形態では、コネクタ４１の識別番号が表示されるのである。
【００７５】
ここで、図８においては、集中制御盤７の表示部７１には、コネクタ４１の識別番号が複数表示されているが、当該表示部７１にはコネクタの識別番号が一つしか表示されない様に構成される場合も存在する。
なお、第２実施形態においても、「関連付け」なる文言は、第１実施形態と同様に、集中制御盤７の表示部７１において、温水端末２の設置位置を特定する名称、例えば、「浴室暖房」、「リビングルームの床暖房」、「子供部屋の床暖房」等を表示可能とする処理を意味している。
【００７６】
次に、図９のフローチャートをも参照して、第２実施形態において、温水端末を関連付けるための操作を説明する。
ここで、図９のフローチャートでは、集中制御盤７の表示部７１にコネクタの識別番号が一つしか表示されない場合（図８とは異なる場合）における操作手順を示している。
【００７７】
図９において、先ずステップＳ２１で、コントロールユニット１０Ａは、集中制御盤７と温水端末２との関連付けが必要か否かを判断する。集中制御盤７と温水端末２との関連付けが不要であれば（ステップＳ２１がＮＯ）、それ以降は操作しない。
集中制御盤７と温水端末２との関連付けが必要であれば（ステップＳ２１がＹＥＳ）、ステップＳ２２において、何れの温水端末２と何れのコネクタ４１が接続（或いは連通）しているかについて、全ての温水端末２で明確になっているか否かを判定する（ステップＳ２２）。換言すれば、ステップＳ２２においては、全ての温水端末２について、コネクタ４１との「接続関係」が判定されたか否かを判断する。
ここで、何れの温水端末２と何れのコネクタ４１が接続（或いは連通）しているかについては、「接続関係」という文言で表現している。
【００７８】
ステップＳ２２において、全ての温水端末２でコネクタ４１との「接続関係」が判定されていれば（ステップＳ２２がＹＥＳ）、ステップＳ２５へ進む。
一方、未だコネクタ４１との「接続関係」が判定されていない温水端末２があれば（ステップＳ２２がＮＯ）、ステップＳ２２−１に進む。
【００７９】
ステップＳ２２−１では、任意の温水端末２について、所定の操作（例えば、温水端末２のリモコン２ｃのＯＮ−ＯＦＦ）を行う。ステップＳ２２−１で所定の操作を行うと、当該温水端末２に連通しているコネクタ４１の識別番号（図８におけるＮｏ．１〜Ｎｏ．３）が、当該温水端末２のリモコン２ｃに表示される（ステップＳ２２−２）。
ここで、集中制御盤７と温水端末２との「関連付け」を行おうとするユーザーは、リモコン２ｃに表示された温水端末２に連通するコネクタの識別番号を、何等かの手法により記録しておく。
【００８０】
ステップＳ２３では、ステップＳ２２−１で所定の処理が為された温水端末２が、未だにコネクタとの「接続関係」が判定されていなかった温水端末であって、新たにコネクタとの「接続関係」が判定されたのか否か、が判断される。
ステップＳ２２−１では任意の温水端末２に対して所定の処理を行うので、既にコネクタ４１との「接続関係」が判定された温水端末である可能性が存在する。そのため、ステップＳ２３で、その旨を確認するのである。
【００８１】
未だにコネクタ４１との「接続関係」が判定されていなかった温水端末が、（ステップＳ２２−１、ステップＳ２２−２の操作により）新たに「接続関係」が判定されたのであれば（ステップＳ２３がＹＥＳ）、当該新たに「接続関係」が判定された温水端末２をデータベース１６に記憶する（ステップＳ２４）。そして、ステップＳ２２に戻り、ステップＳ２２以降を繰り返す。
一方、既にコネクタ４１との「接続関係」が判定された温水端末２であれば（ステップＳ２３がＮＯ）、そのままステップＳ２２に戻り、ステップＳ２２以降を繰り返す。
【００８２】
第１実施形態の場合と同様に、図９のステップＳ２５以降では、集中制御盤７と温水端末２との関連付けが行われる。
ステップＳ２５において、その設置位置を特定する名称（例えば、「リビングルームの床暖房」、「浴室暖房」、「子供部屋の床暖房」等）が集中制御盤７側で表示可能となった温水端末２（集中制御盤７と関連付けが行われた温水端末２）は、「関連付け」というグループに分類される。
【００８３】
そしてステップＳ２５では、未だに「関連付け」というグループに分類されていない温水端末２の内で、当該温水端末２に連通しているコネクタ４１の識別番号（図８ではＮｏ．１〜Ｎｏ．３で示す）が一番若いものについて、当該一番若い識別番号が集中制御盤７の表示部７１で表示される。そして、識別番号が表示されたコネクタ４１に連通する温水端末２の設置箇所の名称（図８の例では、「浴室暖房」、「リビングルームの床暖房」、「子供部屋の床暖房」）を、集中制御盤７側で入力する。
ここで、当該「設置箇所の名称」の「入力」は、ステップＳ２２−２に関して説明した様に、温水端末２に連通するコネクタ４１の識別番号を記録している（例えば、メモに記入している）ので、当該記録を参照することにより容易に行われる。
【００８４】
集中制御盤７側で表示されるコネクタ４１の識別番号は特定の温水端末２と１：１に対応しているので、コネクタ４１の識別番号について、温水端末２の設置箇所の名称（図８の例では、「浴室暖房」、「リビングルームの床暖房」、「子供部屋の床暖房」）を入力することにより、集中制御盤７側では、温水端末２の「設置箇所の名称」の形式で、温水端末２の設置位置の情報を把握することが出来るのである。
【００８５】
次のステップＳ２６では、コントロールユニット１０は、集中制御盤７で識別番号が表示されたコネクタ４１について、連通する温水端末２の設置箇所の名称（図８の例では、「浴室暖房」、「リビングルームの床暖房」、「子供部屋の床暖房」）が入力されたか否かを判断する。
温水端末２の設置箇所の名称が未だに入力されていなければ（ステップＳ２６がＮＯ）、ステップＳ２５に戻って、繰り返す。温水端末２の設置箇所の名称が入力されたならば（ステップＳ２６がＹＥＳ）、ステップＳ２７に進む。
【００８６】
ステップＳ２７では、設置位置を特定する名称（例えば、「リビングルームの床暖房」、「浴室暖房」、「子供部屋の床暖房」等）が集中制御盤７側で表示可能となった温水端末２（集中制御盤７と関連付けが行われた温水端末２）を、「関連付け」されたグループに分類する。そして、新たに「関連付け」に分類された温水端末２を、集中制御盤７の表示部７１に表示する（ステップＳ２８）。
【００８７】
そして次のステップＳ２９で、コントロールユニット１０Ａは、温水端末について「関連付け」に分類されたか否かを判断して、全ての温水端末が「関連付け」に分類されたなら（ステップＳ２９がＹＥＳ）、制御を終了する。
一方、未だ「関連付け」が為されていない温水端末２があれば（ステップＳ２９がＮＯ）、ステップＳ２５まで戻り、再びステップＳ２５以降を繰り返す。
【００８８】
前述した様に、図９は、集中制御盤７の表示部７１に、単一の温水端末に関する情報（例えば、温水端末に連通するコネクタの識別番号や、温水端末設置箇所の名称等）しか表示されない場合における操作手順を説明するためのフローチャートである。
しかし、例えば図８において集中制御盤７の表示部７１には、コネクタ４の識別番号を複数表示することが可能であり、その様な場合には、図９とは若干異なる操作手順となる。その様な、集中制御盤７の表示部７１にコネクタ４の識別番号を複数表示することが可能な場合における操作手順を示すのが、図１０のフローチャートである。
換言すれば、図１０は、第２実施形態の変形例に係る操作手順を示すフローチャートである。
以下、図１０に基づいて、第２実施形態の変形例を説明する。
【００８９】
図１０において、ステップＳ３１〜ステップＳ３４のループは図９のステップＳ２１〜ステップＳ２４と同様であるので説明を省略する。
図１０のステップＳ３５以降においても、集中制御盤７側と温水端末２との関連付けが行われる。
【００９０】
図１０のステップＳ３５では、未だ「関連付け」に分類されていない温水端末２（その設置位置を特定する名称（例えば、「リビングルームの床暖房」、「浴室暖房」、「子供部屋の床暖房」等）が集中制御盤７側で表示可能となった温水端末２）の全部について、当該温水端末（「関連付け」に分類されていない温水端末）と連通しているコネクタ４１の識別番号を、集中制御盤７の表示部７１で全て表示する。
そして、表示された識別番号の各々について、識別番号のコネクタと連通する温水端末２の設置箇所の名称（例えば、「リビングルームの床暖房」、「浴室暖房」、「子供部屋の床暖房」等）を入力する。
【００９１】
そして、次のステップＳ３６では、表示部７１に識別番号を表示されたコネクタ４の何れかについて、連通する温水端末２の設置箇所の名称（例えば、「リビングルームの床暖房」、「浴室暖房」、「子供部屋の床暖房」等）を入力したか否かを判断する。
対応する温水端末２の設置箇所の名称を、何れのコネクタ４についても入力していない場合には（ステップＳ３６がＮＯ）、コネクタ４と温水端末２との関連付けの操作が中断しているものと判断してステップＳ３５に戻り、ステップＳ３６がＮＯのループを繰り返す。
何れかのコネクタ４について対応する温水端末２の設置箇所の名称が入力されたならば（ステップＳ３６がＹＥＳ）、ステップＳ３７に進む。
【００９２】
ステップＳ３７では、設置箇所の名称（例えば、「リビングルームの床暖房」、「浴室暖房」、「子供部屋の床暖房」等）の入力が行われた温水端末２を、「関連付け」に分類する。そして、その「関連付け」に分類された温水端末を、集中制御盤７の表示部７１に表示する（ステップＳ３８）。
全ての温水端末２について、「関連付け」に分類されたのであれば、図１０の操作手順を終了する。
図１０におけるその他のステップについては、図９と同様である。
【００９３】
図７〜図１０の第２実施形態によれば、端末２側で熱源機側のコネクタを特定する情報（例えば、コネクタの識別番号：図８におけるＮｏ．１〜Ｎｏ．３）を表示することにより、端末２側と集中制御７側とを容易に関連付けることが出来る。
その結果、設置前に設置位置に関する情報を集中制御盤７側に入力することが出来ない温水端末２であっても、その設置位置に関する情報（その設置位置を特定する名称：例えば、「リビングルームの床暖房」、「浴室暖房」、「子供部屋の床暖房」等）を、集中制御盤７側で表示可能とせしめることが容易に出来るのである。
【００９４】
本発明は、図１〜図１０の第１及び第２実施形態で示す様な熱源機側と温水端末との関連付け（熱源機の集中制御盤の表示部において、温水端末の名称、例えば、「浴室暖房」、「リビングルームの床暖房」、「子供部屋の床暖房」等）が表示される様にせしめる処理）を行うのみならず、住居の電気機器を必要に応じて集中制御盤側から制御を行う、いわゆる「ホームオートメーション（「ＨＡ」と記載）」において、コントロールユニットの集中制御盤と各部屋の電気器具との関連付けを行う場合にも適用可能である。
図１１〜図１６の第３実施形態は、その様なＨＡにおける適用に関するものである。なお、第３実施形態は、以下において説明するように、第１実施形態と同様の処理を行う。
【００９５】
図１１は、第３実施形態が適用されるＨＡを備えた住居を示している。
全体を符号１０２で示す住居は、１階部分１０４と２階部分１０６とを備えている。１階部分１０４には、リビングダイニング（ＬＤ：以下、「リビング」と表記）Ｒ１と、キッチン（Ｋ）Ｒ２と、和室Ｒ３と、浴室Ｒ４とが設けられ、２階部分１０６には、主寝室Ｒ５と、第１の子供部屋（図１１では「子供部屋１」と表記）Ｒ６と、第２の子供部屋（図１１では「子供部屋２」と表記）Ｒ７とが設けられている。
【００９６】
第１の子供部屋Ｒ６には空調機（エアコン）Ｒ６−２が設置され、第２の子供部屋Ｒ７には床暖房Ｒ７−２が設置されている。第１の子供部屋Ｒ６、第２の子供部屋Ｒ７には、エアコンや床暖房以外にも、種々の電気器具が備えられており、その他の部屋Ｒ１〜Ｒ５にも種々の電気製品が設けられているが、図示の簡略化のため、個々の電気器具の図示は省略する。
【００９７】
各部屋Ｒ１〜Ｒ７、正確には各部屋の電気器具は、信号伝達ラインＣＲ１〜ＣＲ７を介して、ＨＡにおけるコントロールユニット１０Ａに接続されている。上述した通り、個々の電気器具の図示は省略しているので、特に部屋Ｒ１〜Ｒ５について、図１１では、各部屋とコントロールユニット１０Ａとが信号伝達ラインで接続されている様に表現してある。
ここで、リビングＲ１には、ＨＡにおける集中制御盤７Ａが設けられており、該集中制御盤７Ａは、コントロールユニット１０Ａと、信号伝達ラインＣＬ７１及びＣＬ７２で信号（情報）をやり取りしている。
【００９８】
図１２で示す様に、集中制御盤７Ａは表示部７１Ａを有している。そして、集中制御盤７Ａには、ＪＥＭＡ端子と対応するスイッチ７９Ａが設けられており、何れかのスイッチ７９Ａを操作すると、表示部において、対応する電気器具について表示される様に構成されている。
ここで、表示部７１Ａにおいて、図１２で示す様に電気機器の設置位置（例えば、「子供部屋１の照明」等）が表示されるのは、集中制御盤７Ａと電気機器とが「関連付け」を為された後である。
【００９９】
ＨＡにおける集中制御盤７Ａは、図１〜図６の第１実施形態における集中制御盤７を兼用することも出来る。
ＨＡにおける集中制御盤７Ａを、図１〜図６の第１実施形態における集中制御盤７と兼用する場合には、図１２で示す集中制御盤７Ａに、温水端末２（図１参照）に対応する数のスイッチ８１Ａを設ける必要がある。
【０１００】
ＨＡにおいて、集中制御盤７ＡがＪＥＭＡ端子を特定できたとしても、当該ＪＥＭＡ端子に接続している電気器具が何であるのかを把握することが出来ず、集中制御盤７Ａから各部屋における種々の電気器具を操作するのが困難となってしまう。
ＨＡにおいても、集中制御盤７Ａから操作するべき電気器具を直接操作して利便性を向上するために、電気器具の設置位置に関する情報（例えば、「子供部屋１の照明」、「リビングの床暖房」、「和室の照明」等）が集中制御盤７Ａで表示される様に「関連付け」を行えば、利便性が向上する。
しかし、電気器具の設置に関しても、当該電気器具をどの位置に設置したのかについて、集中制御盤７Ａ側に設置前から予め記憶させることは困難である。ＨＡにおいても、第１実施形態における温水端末の場合と同様に、ユーザー側で集中制御盤７Ａを操作して、電気器具の設置位置に関する情報（例えば、「子供部屋１の照明」、「リビングの床暖房」、「和室の照明」等）が表示される様に調整する必要が存在する。
【０１０１】
図１１〜図１６で示す第３実施形態によれば、集中制御盤７Ａの表示部７１Ａ（図１２）において、各種電気器具の名称（例えば、「子供部屋１の照明」、「リビングの床暖房」、「和室の照明」等）を表示すること、すなわち「関連付け」を行うことが、容易に実行可能である。
【０１０２】
図１３において、電気器具の操作用リモコン（図示せず）からの信号を受信する電気器具識別ブロック１１Ａが設けられている。そして、分類ブロック１３から記憶ブロック１６には、ＪＥＭＡ端子と電気器具との対応データが送信される様に構成されている。
その他の構成及び作用効果について、図１１で示すコントロールユニット１０Ａは、図２のコントロールユニット１０と同様な構成である。
【０１０３】
図１１〜図１３で示す様な構成を用いて集中制御盤７Ａと電気器具とを関連付ける操作手順については、図１４〜図１６に示されている。
ここで図１４は、第１実施形態における図３と同様に、関連付けを行う操作手順を説明するための図であり、図１４における符号Ｗ０Ａ、Ｗ１Ａ〜Ｗ６Ａは、それぞれ、図３の符号Ｗ０、Ｗ１〜Ｗ６に対応する。
【０１０４】
図１５においては、「関連付け」を行う電気器具の名称を、図１１の内容に沿って、それぞれ「子供部屋１の照明」、「リビングの床暖房」、「和室の照明」とした点以外は、第１実施形態の説明における図３と同様である。すなわち、集中表示板７Ａと関連付けるべき電気器具（例えば、子供部屋１の照明、リビングの床暖房、和室の照明）の操作用リモコンで、順次、所定の操作（ＯＮ−ＯＦＦ操作を複数回繰り返す操作）を行い（図３の手順Ｗ０〜Ｗ３）、電気器具の名称と何番目に所定の操作を行ったかについて、記憶する（例えば、メモ等。コントロールユニット１０Ａを含む各種情報処理装置に記憶させることも可能）。
そして、集中制御盤７Ａの表示部７１Ａで表示される順番に従って、対応する順番の電気器具の名称（例えば、子供部屋１の照明、リビングの床暖房、和室の照明）を入力する（図３の手順Ｗ５、Ｗ６）。
【０１０５】
ここで、集中制御盤７Ａの表示部７１Ａで表示される順番は、電気器具側で前記所定の操作を行った順番と同一である。従って、例えばメモ等によって記録した電気器具の名称（設置箇所をも含めた電気器具の名称：例えば、子供部屋１の照明、リビングの床暖房、和室の照明）を、集中制御盤７Ａの表示部７１Ａで表示される順番通りに集中制御盤７Ａ側で入力すれば、集中制御盤７Ａにおいて、設置箇所をも含めた電気器具の名称（例えば、子供部屋１の照明、リビングの床暖房、和室の照明）を表示することが可能となる。
【０１０６】
図１５、図１６は、上述した関連付けの作業手順をフローチャートの形式で示している。図１５は図１２で示す様に、集中制御盤７Ａの表示部７１Ａには単一の電気器具しか表示されない場合における「関連付け」の操作手順フローチャートであり、図１６は、集中制御盤７Ａの表示部７１Ａに複数の電気器具が表示される場合における「関連付け」の操作手順フローチャートである。
温水端末２ではなく、電気器具と集中制御盤とを関連付けている点を除くと、図１５、図１６の操作手順は、それぞれ図４、図５で示す第１実施形態における「関連付け」を行うための操作手順と同様である。
【０１０７】
第３実施形態によれば、ＨＡ（ホームオートメーション）において、中央処理側が、設置箇所をも含めた電気器具の名称（例えば、子供部屋１の照明、リビングの床暖房、和室の照明）を特定できていない状態で、簡単な操作により、設置箇所をも含めた電気器具の名称を中央処理側で特定することが出来る。
中央処理側で、設置箇所をも含めた電気器具の名称（例えば、子供部屋１の照明、リビングの床暖房、和室の照明）を特定できることにより、ＨＡにおいて中央処理側（例えば、集中制御盤７Ａ）から各電気器具を操作することが出来るので、利便性が格段に向上する。
【０１０８】
次に、図１７〜図１９を参照して、本発明の第４実施形態について説明する。
第３実施形態は、ＨＡに本発明を適用したものであるが、第４実施形態も本発明をＨＡに適用した実施形態である。この第４実施形態では、電気器具側で所定の操作（例えば、リモコンによりＯＮ−ＯＦＦを繰り返す操作）が為された場合に、当該操作が為された旨を集中制御盤７側が了解した旨を表示するため、当該電気器具側に所定の表示（例えば、当該電気器具において、ＯＮ−ＯＦＦを繰り返す等）を行わせしめる点に特色がある。
【０１０９】
図１７は、第２実施形態における図７に対応するものである。
図１７において、コントロールユニット１０Ｂは、電気器具の操作用リモコン（図示せず）からの信号を受信する電気器具識別ブロック１１Ｂと、入力判定ブロック１２と、表示ブロック１４と、リモコン側への返信信号を発生する返信信号発生ブロック１５Ｂと、記憶ブロック（データベース）１６Ｂとを有している。
【０１１０】
コントロールユニット１０Ｂにおいて、返信信号発生ブロック１５Ｂは、後述する様に、電気器具を集中制御盤７と「関連付け」る操作が為された際に、係る「関連付け」が行われたことを電気器具側でユーザーに対して表示する（例えば、電気器具側で、ＯＮ−ＯＦＦを繰り返す等）のに必要な制御信号を、集中制御盤側（すなわちコントロールユニット１０Ｂ側）から電気器具側へ送信（返信）する様に構成されている。
ここで、第４実施形態においては、集中制御盤は符号７Ｂで表示し、表示部は符号７１Ｂで表現する。
【０１１１】
図１８を参照して、第４実施形態の手順を説明する。図１８中、符号Ｗ０Ｂ、Ｗ１Ｂ〜Ｗ８Ｂは、操作手順を示す通し番号である。
最初に、符号Ｗ０Ｂで示す様に、集中制御盤７Ｂの表示部７１Ｂには、電気器具（例えば、「子供部屋１の照明」、「リビングの床暖房」、「和室の照明」等）が、ＨＡにおいて適正に結線されている旨が表示されている。
【０１１２】
次に、ユーザーは、第１の電気器具（図示の例では「子供部屋１の照明」）の設置箇所である子供部屋１（図１１のＲ６）まで行き、その操作手段（例えばリモコン：図示せず）を操作して、第１の電気器具（子供部屋１の照明）の設置位置に関する情報を集中制御盤７Ｂで把握するための所定の操作（例えば、リモコンでＯＮ―ＯＦＦ）を行う（図１８の手順Ｗ１Ｂ：図１４のＷ１Ａに相当）。
第１の電気器具（子供部屋１の照明）で所定の操作が為されたならば、コントロールユニット１０Ｂは、返信信号発生ブロック１５Ｂから第１の電気器具（子供部屋１の照明）へ返信信号を送り、第１の電気器具（子供部屋１の照明）をＯＮ−ＯＦＦする（図１８の手順Ｗ２Ｂ）。
ユーザーは、第１の電気器具（子供部屋１の照明）がＯＮ−ＯＦＦするのを確認することにより、集中制御盤７Ｂが設けられている箇所（例えばリビングルーム）に戻らなくても、第１の電気器具（子供部屋１の照明）で所定の操作が為された旨が、集中制御盤７Ｂ側で確認或いは把握されたことを認識出来る。
【０１１３】
次いでユーザーは、第２の電気器具（図示の例では「リビングの床暖房」）の設置箇所であるリビングルーム（図１１のＲ１）まで行き、第２の電気器具の操作手段（床暖房のスイッチ）により、上述した所定の操作（例えば、リモコンでＯＮ―ＯＦＦ）を行う（図１８の手順Ｗ３Ｂ：図１４の手順Ｗ２Ａに相当）。
これに対して、集中制御盤７Ｂ或いはコントロールユニット１０Ｂから、第２の電気器具（リビングの床暖房）へ返信信号が送信され、第２の電気器具（リビングの床暖房）がＯＮ−ＯＦＦする（図１８の手順Ｗ４Ｂ）ので、「関連付け」を行っているユーザーは、第２の電気器具（リビングの床暖房）で所定の操作が為された旨が集中制御盤７Ｂ側で把握されたことを認識する。
【０１１４】
さらにユーザーは第３の電気器具（図示の例では「和室の照明」）の設置箇所である和室（図１１のＲ３）まで行き、第３の電気器具の操作手段（和室の照明のスイッチ）で所定の操作（例えば、スイッチによりＯＮ―ＯＦＦ）を行う（図１８の手順Ｗ５Ｂ：図１４の手順Ｗ３Ａに相当）。
そして、第３の電気器具（和室の照明）がＯＮ−ＯＦＦする（図１８の手順Ｗ６Ｂ）ので、「関連付け」を行っているユーザーは、第３の電気器具（和室の照明）で所定の操作が為された旨が集中制御盤７Ｂ側で把握されたことを認識する。
以下、集中制御盤７Ｂとの「関連付け」が必要な全ての電気器具について、「所定の操作（ＯＮ−ＯＦＦ）」を行う。
【０１１５】
前記手順Ｗ１Ｂ、Ｗ３Ｂ、Ｗ５Ｂで「所定の操作（ＯＮ―ＯＦＦ）」を行ったユーザーは、第１番目に操作した電気器具（子供部屋１の照明）、第２番目に操作した電気器具が何で（例えば、浴室暖房）、第３番目に操作した電気器具が何なのか（例えば、和室の照明）、のみを記録する。係る「記録」は、電子的な手段を用いて実行しても良いし、いわゆる「メモ」等を用いた手作業で行っても良い。特に限定条件が存するものではない。
【０１１６】
ここで、手順Ｗ２Ｂ、Ｗ４Ｂ、Ｗ６Ｂにおいて、「所定の操作（ＯＮ―ＯＦＦ）」が為された電気器具が各々ＯＮ−ＯＦＦ作動をするので、記録を行うユーザーが当該電気器具のＯＮ−ＯＦＦ作動を確認してから上述の記録を行えば、記録するべき電気器具（子供部屋１の照明、浴室暖房、和室の照明）を誤認して、別の電気器具の名称を記録してしまうことが防止出来る。
また、中央制御盤７Ｂと「関連付け」をする必要が無い電気器具が存在する場合に、係る電気器具は上述した様なＯＮ−ＯＦＦ作動を行わないので、ユーザーが係る電気器具（「関連付け」をする必要が無い電気器具）を「関連付け」をするべき電気器具として記録してしまうことが防止出来る。
【０１１７】
集中制御盤７Ｂとの「関連付け」が必要な全ての電気器具について、「所定の操作（ＯＮ−ＯＦＦ）」を完了したのであれば、集中制御盤７において、上述した操作（Ｗ１Ｂ〜Ｗ６Ｂの手順）を行った順番（ユーザーにより記録された順番：子供部屋１の照明、浴室暖房、和室の照明の順番）に従って、図１８の符号７３で示す様に、「電気器具の名称（及び／又は設置位置）を入力する要求」が示される（図１８の手順Ｗ７Ｂ、Ｗ８Ｂ参照）。それに対しては、ユーザーの記録（例えばメモ）の内容に沿って、電気器具の名称及び／又は設置位置（「子供部屋１の照明」、「浴室暖房」、「和室の照明」等）を入力する。
図１８の例では、「１つ目の電気器具」については「子供部屋１の照明」と入力し、「２つ目の電気器具」については「浴室暖房」と入力し、「３つ目の電気器具」については「和室の照明」と入力する（図１８の手順Ｗ７Ｂ、Ｗ８Ｂ：図１４の手順Ｗ５Ａ、Ｗ６Ａに対応）。
【０１１８】
図１９、図２０のフローチャートを参照して、図１８を参照して説明した「関連付け」の制御手順をさらに説明する。
図１９のフローチャートは、図１８の手順Ｗ７Ｂ、Ｗ８Ｂにおいて、集中制御盤７Ｂには単一の電気器具に関する名称入力要求のみが表示される場合の制御手順を示しており、第３実施形態における図１５のフローチャートに対応する。
但し、図１９においては、所定の操作（ＯＮ−ＯＦＦ操作）がされた電気器具をコントロールユニット１０Ｂ側（集中制御盤７Ｂ側）で記憶した（図１９のステップＳ４）後、コントロールユニット１０Ｂ側（集中制御盤７Ｂ側）から返信信号が送られて、所定の操作がされた電気器具がＯＮ−ＯＦＦ作動する（ステップＳ４１）。それから、ステップＳ１２に戻る。
その他については、図１５と同様である。
【０１１９】
図２０のフローチャートは、図１８の手順Ｗ７Ｂ、Ｗ８Ｂ或いは図１９で説明したように、集中制御盤７Ｂには単一の電気器具に関する名称入力要求のみが表示されるのではなく、集中制御盤７Ｂの表示部７１Ｂに複数の電気器具に関する名称入力要求が表示され、ユーザーは名称入力要求が表示された複数の電気器具について、その名称及び／又は設置位置を入力する様に構成された場合の制御手順を示している。そして図２０は、第３実施形態における図１６に対応する。
【０１２０】
図２０においても、所定の操作（ＯＮ−ＯＦＦ操作）がされた電気器具をコントロールユニット１０Ｂ側（集中制御盤７Ｂ側）で記憶した（図１９のステップＳ４）後、コントロールユニット１０Ｂ側（集中制御盤７Ｂ側）から返信信号が送られて、所定の操作がされた電気器具がＯＮ−ＯＦＦ作動する（ステップＳ４１）。それから、ステップＳ１２に戻る。その他については、図２０は図１６と同様である。
【０１２１】
図示の実施形態はあくまでも例示であって、本発明の技術的範囲を限定する趣旨の記述ではない旨を付記する。
【図面の簡単な説明】
【０１２２】
【図１】第１実施形態の全体構成を示すブロック図。
【図２】第１実施形態におけるコントロールユニットの構成を示すブロック図。
【図３】第１実施形態における操作手順を模式的に説明する図。
【図４】第１実施形態において、集中制御盤で単一の温水端末のみの情報を表示する場合の操作フローチャート。
【図５】第１実施形態において、集中制御盤で複数の温水端末の情報を表示する態様を模式的に示す図。
【図６】第１実施形態において、集中制御盤で複数の温水端末の情報を表示する場合の操作フローチャート。
【図７】第２実施形態におけるコントロールユニットの構成を示すブロック図。
【図８】第２実施形態における操作手順を模式的に説明する図。
【図９】第２実施形態において、集中制御盤で単一の温水端末のみに情報を表示する場合の操作フローチャート。
【図１０】第２実施形態において、集中制御盤で複数の温水端末に情報を表示する場合の操作フローチャート。
【図１１】第３実施形態を実施した住居における電気器具の制御システムを示すブロック図。
【図１２】第３実施形態における中央制御盤の１態様を示す図。
【図１３】第３実施形態におけるコントロールユニットの構成を示すブロック図。
【図１４】第３実施形態における操作手順を模式的に説明する図。
【図１５】第３実施形態において、集中制御盤で単一の電気器具のみの情報を表示する場合の操作フローチャート。
【図１６】第３実施形態において、集中制御盤で複数の電気器具の情報を表示する場合の操作フローチャート。
【図１７】第４実施形態におけるコントロールユニットの構成を示すブロック図。
【図１８】第４実施形態における操作手順を模式的に説明する図。
【図１９】第４実施形態において、集中制御盤で単一の電気器具のみの情報を表示する場合の操作フローチャート。
【図２０】第４実施形態において、集中制御盤で複数の電気器具の情報を表示する場合の操作フローチャート。
【符号の説明】
【０１２３】
１・・・熱源機
２・・・空気調和機／温水端末
３・・・温水発生装置
４・・・コネクタ
５・・・熱源機側温水配管
６・・・空気調和機側温水配管
７、７Ａ、７Ｂ・・・集中制御盤
１０、１０Ａ、１０Ｂ・・・制御手段／コントロールユニット
１１・・・リモコン識別ブロック
１２・・・入力判定ブロック
１３・・・分類ブロック
１４・・・表示ブロック
１５・・・リモコン側表示信号発生ブロック
１６・・・記憶ブロック
３１・・・燃焼機
３２・・・貯湯槽
７１、７１Ａ・・・表示部
７２・・・入力部
７３・・・音声発生部
【図１】
0004502273.tif 000002
【図２】
0004502273.tif 000003
【図３】
0004502273.tif 000004
【図４】
0004502273.tif 000005
【図５】
0004502273.tif 000006
【図６】
0004502273.tif 000007
【図７】
0004502273.tif 000008
【図８】
0004502273.tif 000009
【図９】
0004502273.tif 000010
【図１０】
0004502273.tif 000011
【図１１】
0004502273.tif 000012
【図１２】
0004502273.tif 000013
【図１３】
0004502273.tif 000014
【図１４】
0004502273.tif 000015
【図１５】
0004502273.tif 000016
【図１６】
0004502273.tif 000017
【図１７】
0004502273.tif 000018
【図１８】
0004502273.tif 000019
【図１９】
0004502273.tif 000020
【図２０】
0004502273.tif 000021